(57)【要約】【課題】引戸への鍵部材を設置するための彫り込みを簡易化しつつ、同一の構成部材を用いて右引き用または左引き用の引戸に合わせて装着できる便利で経済的なアウトセット引戸用錠を提供すること。【解決手段】第１のケース体に駆動機構を収容するとともに、前記第一ケース体の前面の透窓から露出する往復スライド部材を設けた錠本体と、第二ケース体として鍵部を収容して、前記第一ケース体の前記往復スライド部材と連結される錠部材と、前記錠部材の第２のケース体前面に付設されて前記錠部材の第２のケース体前面および前記錠本体の第１のケース体の前面を覆う形状の化粧カバーとからなり、引戸の戸先における前面に形成した前記錠部材の第２のケース体前面よりも大きく前記化粧カバーより小さい形状の彫り込みに前面から装着可能とした。【選択図】図１
2014227751.tif 000002
【特許請求の範囲】
【請求項１】
第１のケース体に施錠具および前記施錠具により作動する駆動機構を収容するとともに前記第１のケース体の前壁に前記駆動機構の作用部である往復動するスライド部材を露出させた透窓を形成した錠本体と、
前記錠本体の前壁上における前記透窓部分に重ねて取り付けられた第２のケース体内に前記第２のケース体から突出させた後端に形成した連結部を前記錠本体の前壁に形成した前記透窓を介して前記スライド部材に連結して前記スライド部材の往復動に連動して先端に形成した鍵部を前記第２のケース体の前壁から前後方向に出没可能とした施錠片を有する錠部材と、
前記錠部材の第２のケース体前面に付設されて前記錠部材の第２のケース体前面および前記錠本体の第１のケース体の前面を覆う形状の化粧カバーとからなり、
引戸の戸先における前面に形成した前記錠部材の第２のケース体前面よりも大きく前記化粧カバーより小さい形状の彫り込みに前面から装着可能としたことを特徴とするアウトセット引戸用錠。
【請求項２】
前記錠本体における後壁の前記前壁に形成した透窓に対向する位置にスライド部材を露出させる透窓が形成され右引き用または左引き用の引戸に適用することが可能であることを特徴とする請求項１記載のアウトセット引戸用錠。
【請求項３】
前記施錠片が第２のケース体に軸着された鎌錠であることを特徴とする請求項１または２記載のアウトセット引戸用錠。
【発明の詳細な説明】
【技術分野】
【０００１】
本発明は、アウトセット（外付け）引戸に用いる錠に関するものである。
【背景技術】
【０００２】
家屋の開口部に設置される引戸の一つとしてアウトセット（外付け）引戸が知られており、このアウトセット引戸は開口部の内部に設置する引戸（インセット引戸）に比べて簡易に設置することができることから、開戸からの改造を含めて新築家屋において使用されている。
【０００３】
ところで、このアウトセット引戸はインセット引戸と異なり引戸の閉じ方向に施錠するタイプの施錠片を有する錠をそのまま使用することができないことから引戸の閉じ方向に直交する方向（引戸の前後方向）に出没する施錠片を支柱などに係止する施錠片を有するアウトセット引戸用錠が用いられており、例えば特開２０１１−５２４６７号公報に提示されている。
【０００４】
この公報に提示されているアウトセット引戸用錠は、右引き用または左引き用の引戸に兼用することができるとともに施錠具として通常の開口部に配置した引戸に装着する施錠具と同様な構成並びに外形を有するものと共通のものを提供することができ、室内全体のデザインの調和を計ることができ、部品の共通化を図ることもできる、という利点を有している。
【０００５】
また、前記特開２０１１−５２４６７号公報に提示されているアウトセット引戸用錠は、駆動機構と錠部材とをそれぞれ異なる第１のケース体と第２のケース体に収納することにより、更には駆動機構と錠部材との連結を左右方向（引戸の開閉方向）に変換可能としている。また、施錠具として通常の開口部に配置した引戸に装着する施錠具と同様な構成並びに外形を有するものと共通のものを提供することができ、室内全体のデザインの調和を計ることができるとともに部品の共通化を図ることもできる、というものである。
【０００６】
ところが、前記公報に提示されているアウトセット引戸用錠は、駆動機構を収納した第１のケース体と錠部材を収納する第２のケース体からなるものであって、駆動機構と鍵部材とが別々であることから取り付け時にそれぞれ別体の駆動機構と錠部材とを重ねて引戸の戸先に形成された彫り込みに埋設するものであり、特に、彫り込みを引戸の前面だけでなく木口面に形成するものであり、彫り込み形成の煩雑さと見栄えの点で問題がある。
【先行技術文献】
【特許文献】
【０００７】
【特許文献１】特開２０１１−５２４６７号公報
【発明の概要】
【発明が解決しようとする課題】
【０００８】
本発明は前記課題を解決するためになされたものであり、戸先の木口面に錠を装着するための彫り込みがなく引戸の外観を損ねることがなく、例えば同一建物における他の引戸などに用いられる施錠具と同様な施錠具を用いることによりデザインを統一して違和感なく且つインセット引戸と同じ外観や操作性を有し、彫り込みの形成を含めて引戸への取り付けも簡単で、同一の構成部材を用いて右引き用または左引き用の引戸に合わせて装着できる便利で経済的なアウトセット引戸用錠を提供することを課題とする。
【課題を解決するための手段】
【０００９】
前記課題を解決するためになされた本発明は、第１のケース体に施錠具および前記施錠具により作動する駆動機構を収容するとともに前記第１のケース体の前壁に前記駆動機構の作用部である往復動するスライド部材を露出させた透窓を形成した錠本体と、前記錠本体の前壁における前記透窓部分に重ねて取り付けられた第２のケース体内に前記第２のケース体から突出させた後端に形成した連結部を前記錠本体の前壁に形成した前記透窓を介して前記スライド部材に連結して前記スライド部材の往復動に連動して先端に形成した鍵部を前記第２のケース体の前壁から前後方向に出没可能とした施錠片を有する錠部材と、前記錠部材の第２のケース体前面に付設されて前記錠部材の第２のケース体前面および前記錠本体の第１のケース体の前面を覆う形状の化粧カバーとからなり、引戸の戸先における前面に形成した前記錠部材の第２のケース体前面よりも大きく前記化粧カバーより小さい形状の彫り込みに前面から装着可能としたことを特徴とする。
【００１０】
また、本発明において、前記錠本体における後壁の前記前壁に形成した透窓に対向する位置にスライド部材を露出させる透窓が形成され右引き用または左引き用の引戸に適用することが可能であり、更に、前記施錠片が第２のケース体に軸着された鎌錠であると確実に施解錠ができる。
【発明の効果】
【００１１】
本発明によれば、従来の開口部内に設置される引戸に設置される引戸錠と同様な操作部を用いることにより違和感なく且つ操作性にも優れるとともに全体として厚みを薄く形成可能であり、特に引戸への取り付けに際して引戸の前面に形成した彫り込みに収容可能であり、引戸の木口に彫り込みを形成することがないので見栄えも良い。
【００１２】
また、本発明において、前記錠本体における後壁の前記前壁に形成した透窓に対向する位置にスライド部材を露出させる透窓が形成され右引き用または左引き用の引戸に適用することが可能であり、更に、前記施錠片が錠第２のケース体に軸着された鎌錠であると確実に施解錠ができる。
【図面の簡単な説明】
【００１３】
【図１】本発明であるアウトセット引戸用錠の好ましい実施の形態を示す分解斜視図。
【図２】図１に示した実施の形態における側面図。
【図３】図１に示した実施の形態における錠本体の内部構造を示す説明図。
【図４】図１に示した実施の形態における正面図。
【図５】図１に示した実施の形態における横断面図。
【図６】図１に示した実施の形態を引戸に取り付けた状態の説明図。
【図７】図１に示した実施の形態を取り付けるために引戸に形成される彫り込みの概略を示す説明図。
【図８】本発明であるアウトセット引戸用錠の施錠片についての別の実施の形態を示す側面図。
【発明を実施するための形態】
【００１４】
図面は本発明であるアウトセット引戸用錠１の好ましい実施の形態を示すものであり、図７に示したように主としてアウトセットにより設置される引戸２の閉じ側の戸先２１における前面に形成された彫り込み２２に図６に示したように埋設される。
【００１５】
そして、本実施の形態は、従来からインセットにより設置される引戸や開き戸に用いられているのと同様な回転式のサムターン形式の施錠具５により作動する駆動機構３２を第１のケース体３１に収容するとともにその第１のケース体３１の前壁３１１に前記駆動機
構３２の作用部である往復動するスライド部材３２４を露出させた透窓３１２を形成した錠本体３と、前記錠本体３における第１のケース体３１の前壁３１１上における前記透窓３１２部分に重ねて止めねじ４０１により取り外し可能に取り付けられた第２のケース体４１内に前記第２のケース体４１から突出させた後端に形成した鍵部４２１を前記錠本体３の第１のケース体３１の前壁３１１に形成した前記透窓３１２を介して前記スライド部材３２４に連結して先端に形成した鍵部４２２を前記第２のケース体４１の前壁４１１から前後方向に出没可能とした施錠片４２を有する錠部材４と、前記錠部材４の第２のケース体４１前面に付設されて前記錠部材４の第２のケース体４１前面および前記錠本体３の第１のケース体３１の前面を覆う形状の化粧カバー６とからなる。
【００１６】
更に説明すると、前記錠本体３に収容された駆動機構３２は、回転式のサムターン形式の施錠具５の操作杆５１に軸着されたカム部材３２３と、前記カム部材３２３の回動を規制するばね部材３２２と、第１のケース体３１における前壁３１１の引戸の閉じ側位置に形成した縦方向へ延びる透孔３１２位置において縦方向に往復運するスライド部材３２４と、前記カム部材３２３と前記スライド部材３２４とを連結する連動部材３２５とから構成され、施錠具５の操作杆５１に軸着されている前記カム部材３２３をばね部材３２２の付勢力に抗して往復回転して前記連動部材３２５により前記スライド部材３２４を縦方向に往復動させるものである。
【００１７】
一方、錠部材４はその第２のケース体４１に前記前壁４１１に平行な軸４３に軸着されて後端に形成した連結部４２１を前記錠本体３における第１のケース体３１の前壁３１１上における前記透窓３１２部分に重ねて取り付けられたケース４１内に前記ケース４１から突出させた後端に形成した連結部４２１を前記錠本体３の第１のケース体３１の前壁３１１に形成した透窓３１２を介して前記スライド部材３２４に連結するとともに先端に形成した鍵部４２２を前記第２のケース体４１の前壁４１１から前後方向に出没可能としてたとえば引戸２に対向して配置される枠柱や枠壁に設けた受け具（図示せず）に係脱する施錠片４２を備えた錠部材４を有しており、更に、前記錠部材４における第２のケース体４１の前面にはその第２のケース体４１の前面および前記錠本体３の第１のケース体３１の前面を覆うとともに前記施錠具５の取り付け孔６１と前記第２のケース体４１の透窓３１２に連通する透窓６２を形成した形状の化粧カバー６を有している。
【００１８】
このように構成される本実施の形態は、図７に示したように、引戸２の閉じ側の戸先２１に前面側から形成された彫り込み２２に図６に示したように埋設されて化粧パネル６を用いて取り付けられる。
【００１９】
このとき、本実施の形態は、前記彫り込み２２を引戸２の前面に形成すればよく、従来のように引戸２の木口面に彫り込みを形成する必要がなくインセット引戸と同様な外観とすることが可能であり、また、彫り込み２２の全体を覆う１つの化粧パネル６で取り付けられるので取り付けも煩雑でなく見栄えもよい。
【００２０】
そして、本実施の形態は、通常の解錠状態においては、図３に示す駆動機構３２のスライド部材３２４が図２に示すＡの状態のように上方に位置していて、このスライド部材３２４に施錠片４２の連結部４２１が連結していて、施錠４２の鍵部４２２が第２のケース体に没入した状態にあり、引戸２を閉じた状態で前記施錠具５を閉じ方向に回転操作することにより駆動機構３２のカム部材３２３がばね部材３２２の付勢力に抗して回転し、連動部材３２５を介してスライド部材３２４が図２に示すＢ状態となる様に下方へ移動すると施錠片４２が旋回して、その先端の鍵部４２２を第２のケース体４１の前壁４１１および化粧カバー６に連通形成した透窓６２から前方向へ突出させて施錠状態とすることができる
【００２１】
また、前記施錠具５を前記施錠方向とは逆の解錠方向へ回転させると、前記施錠時とは逆に駆動機構３２のカム部材３２３がばね部材３２２の付勢力に抗して逆方向へと回転し、前記スライド部材３２４が元の図２に示したＡ状態となる様に上方向に移動して前記第２ケース体４１の前壁４１１に形成した透窓４１２および連通する化粧カバー６の透窓６２から施錠片４２の鍵部４２２が没入して解錠状態とすることができる
【００２２】
このように本実施の形態によれば、従来の引戸に設置される引戸錠と同様な操作部を用いることにより操作性を含めて違和感なく他の引戸などと共用する場合にも適していて、取り付けに際して引戸の前面に形成した彫り込みに収容可能であり、引戸２の木口に彫り込みを形成することがないので見栄えも良い。
【００２３】
また、本実施の形態は、錠本体３と錠部材４とそれぞれ独立した別のケース体３１，４１としたことにより、たとえば錠本体３を共通として錠部材４のたとえば施錠片４２の幅や長さなどが異なるタイプの鍵部材４を交換部品として用意しておき、引戸や壁の厚さや、材質や使用される状況により自由に交換可能とすることにより、アウトセット引戸用鍵として複数種類を用意する場合に比べて経済的に有利であるだけでなく、加えて、錠本体３については駆動機構３２が前後方向に幅を有する部品（施錠片４２）が含まれないので第１のケース体３１を薄く形成でき、材料費が少なくてすむばかりか重量の軽減も図れる。
【００２４】
更に、本発明において、前記錠本体３における後壁（図示せず）の前記前壁３１１に形成した透窓３１２と対象位置に透窓（図示せず）を形成しておくことにより取付時に錠部材４および化粧カバー６を後壁（図示せず）側に取り付けるだけの簡単な作業で左右何れの開き方向の引戸にも対応させることができる（図示せず）。
【００２５】
更にまた、本実施の形態では施錠片４２として先端の鍵部４２２を鍵形とした鎌状形の施錠片４２を用いて施錠性を高めた構成としているが、先端を鍵形にする必要がない場合は図８に示すように平板状のデットボルトとすることも可能であり、また、施錠片４２は本実施の形態においては、下方から上方へと施錠する形式としたが、上方から下方へと施錠することも可能である（図示せず）。
【００２６】
なお、本実施の形態においては、鍵本体３の第１のケース体３１と鍵部材４の第２のケース体４１とが略直行するように連結されているが、例えば、鍵部材４の第２のケース体４１の施錠片４２とスライド部材３２４に所定の角度をつけるように構成することにより、受け具側の角度に応じたケース体４１を取り付けることも可能である（図示せず）。
【符号の説明】
【００２７】
１ アウトセット引戸用錠、２  引戸、２１  戸先、２２  彫り込み、３  錠本体、３
１  第１のケース体、３２  駆動機構、３１１  前壁、３1２  透窓、３２２  ばね部材
、３２３  カム部材、３２４  スライド部材、３２５  連動部材、４  錠部材、４１  第２のケース体、４２  施錠片、４３  軸、４０１  止めねじ、４１１  前壁、４１２  透窓、４２１  連結部、４２２  鍵部、５  施錠具、５１  操作杆、６  化粧カバー、６１
取り付け孔、６２  透窓
【図１】
2014227751.tif 000003
【図２】
2014227751.tif 000004
【図３】
2014227751.tif 000005
【図４】
2014227751.tif 000006
【図５】
2014227751.tif 000007
【図６】
2014227751.tif 000008
【図７】
2014227751.tif 000009
【図８】
2014227751.tif 000010